(57)【要約】      （修正有）【課題】複数の発光素子を有する基板が主走査方向に膨張収縮したときに、副走査方向へのずれが発生しないように規制する露光装置を提供する。【解決手段】複数の発光素子を有する複数の基板３５と、集束光学部材と、各基板及び集束光学部材を支持する支持部材とを備え、千鳥状の連結配列した複数の基板のうち、第１の基板３５ａが、長手方向への移動を規制する長手方向移動規制部と、長手方向への移動を許容する第１の長手方向移動許容部とを有し、第１の基板３５ａの端部と隣接する第２の基板３５ｂが、同一平面上において長手方向に対する垂直方向の移動を規制するものであって、第１の基板３５ａの端部の移動に追従して、長手方向への移動を許容する第２の長手方向移動許容部を有する。【選択図】図６
2017144706.tif 000002
【特許請求の範囲】
【請求項１】
複数の発光素子を有する複数の基板と、
前記各発光素子から放出される光を集束する集束光学部材と、
前記各基板及び前記集束光学部材を支持する支持部材と
を備える露光装置において、
千鳥状の連結配列した前記複数の基板のうち、第１の基板が、
長手方向への移動を規制する長手方向移動規制部と、
長手方向への移動を許容する第１の長手方向移動許容部と
を有し、
前記第１の基板の端部と隣接する第２の基板が、
同一平面上において前記長手方向に対する垂直方向の移動を規制するものであって、前記第１の基板の端部の移動に追従して、前記長手方向への移動を許容する第２の長手方向移動許容部を有する
ことを特徴とする露光装置。
【請求項２】
前記第２の基板の前記第２の長手方向移動許容部が、前記垂直方向よりも前記長手方向の幅長が長いピンガイド部と、前記ピンガイド部に嵌合する偏心ピンとを有することを特徴とする請求項１に記載の露光装置。
【請求項３】
前記ピンガイド部の前記垂直方向の幅長が、前記偏心ピンの幅長と同程度であり、
前記第１の基板の端部の移動に追従して、前記偏心ピンが軸を中心に回転して長手方向に移動する
ことを特徴とする請求項２に記載の露光装置。
【請求項４】
前記複数の基板を配列する基材が、前記各基板の前記垂直方向の移動を規制し、前記基材と前記各基材とを結着する結着材を保留する留め部を有することを特徴とする請求項１〜３のいずれかに記載の露光装置。
【請求項５】
前記長手方向移動規制部が、前記第１の基板の中央部に設けられ、
前記第１の長手方向移動許容部が、前記第１の基板の端部に設けられ、
前記第２の長手方向移動許容部が、前記第２の基板の端部に設けられる
ことを特徴とする請求項１〜４のいずれかに記載の露光装置。
【請求項６】
請求項１〜５のいずれかに記載の１又は複数の露光装置と、
前記各露光装置により露光された潜像に現像剤を移動させて現像する現像装置と
を有することを特徴とする画像形成装置。
【発明の詳細な説明】
【技術分野】
【０００１】
本発明は、露光装置及び画像形成装置に関するものである。
【背景技術】
【０００２】
従来、プリンタ、複写機、ファクシミリ装置、複合機等の画像形成装置において、例えば、プリンタで用いられている露光装置（例えば、ＬＥＤヘッド）は、帯電された感光体ドラムに対して光を照射して露光し、静電潜像を形成するものである。
【０００３】
従来の露光装置は、例えば、ＬＥＤアレイが搭載された基板と、基板を支持するホルダ（以下、基盤支持部材とも呼ぶ。）と、ＬＥＤアレイに対向して前記レンズホルダ（以下、レンズ支持部材とも呼ぶ。）に支持され、前記ＬＥＤアレイから放射される光を集束させるロッドレンズアレイと、前記基板を前記支持ホルダに押し付けるベース等を備えている。
【０００４】
そして、基板に搭載されたＬＥＤアレイから放射された光は、ロッドレンズアレイを通過し集束され、そのロッドレンズアレイの結像位置に配設された感光体ドラムの表面に露光することにより、静電潜像が形成される構成となっている。
【０００５】
従来、このようなＬＥＤヘッドを複数配列して、幅広露光を行うことにより感光ドラムに潜像を形成する画像形成装置が知られている。
【０００６】
図１１は、従来の３本のＡ３サイズ用ＬＥＤヘッドの取り付け概略図である。
【０００７】
図１１では、３本のＬＥＤヘッドをそれぞれ、第１のＬＥＤヘッド６０ａ、第２のＬＥＤヘッド６０ｂおよび第３のＬＥＤヘッド６０ｃとし、３本のＬＥＤヘッドを図１２のように配列することにより、Ａ０幅の露光を可能にしている。
【０００８】
ここで、第２のＬＥＤヘッド６０ｂは、第１のＬＥＤヘッド６０ａ及び第３のＬＥＤヘッド６０ｃから副走査方向にずれて配置されている。第１のＬＥＤヘッド６０ａ及び第３のＬＥＤヘッド６０ｃに対する第２のＬＥＤヘッド６０ｂずれを予め考慮した画像データ処理によって、第２のＬＥＤヘッド６０ｂのずれを補正する。
【０００９】
なお、図１１において、第１のＬＥＤヘッド６０ａ、第２のＬＥＤヘッド６０ｂ及び第３のＬＥＤヘッド６０ｃの各ＬＥＤヘッドが並ぶ方向を主走査方向とし、この主走査方向に垂直な方向を副走査方向とする。
【００１０】
この３本のＬＥＤヘッドをつないで露光する際、取り付け誤差を小さくするために、各ＬＥＤヘッドを調整する機構を設けている。
【００１１】
図１２は、第１のＬＥＤヘッド６０ａと第３のＬＥＤヘッド６０ｃの調整機構である。図１３はＬＥＤヘッド６０ｂの調整機構である。
【００１２】
図１２に示すように、第１のＬＥＤヘッド６０ａと第３のＬＥＤヘッド６０ｃの調整機構は、副走査方向の移動を規制して、主走査方向の配列位置を調整する第１の機構である。一方、図１３の第２のＬＥＤヘッド６０ｂの調整機構は、副走査方向の移動を規制して、主走査方向の配置を調整する第２の調整機構を設けている。
【００１３】
図１２において、第１のＬＥＤヘッド６０ａ及び第３のＬＥＤヘッド６０ｃの主走査方向の調整を行うための構成を示す。偏心ピン６１及び副走査方向を規制する２個のガイドピン（６４，６６）が設けられており、ＬＥＤヘッドホルダに空いているガイド（６３，６５，６７）にそれぞれ嵌められている。この構造により、第１のＬＥＤヘッド６０ａ及び第３のＬＥＤヘッド６０ｃは主走査方向の位置調整が可能となっている。
【００１４】
また、図１３において、第２のＬＥＤヘッドの副走査方向の調整を行うための構成を示す。２個の偏心ピン（６８，７３）及び主走査方向を規制するガイドピン７１が設けられており、ＬＥＤヘッドホルダに空いているガイド（７０，７２，７５）にそれぞれ嵌められている。この構造により、第２のＬＥＤヘッド６０ｂは副走査方向の位置調整が可能となっている。
【００１５】
この構造により、第１のＬＥＤヘッド６０ａと第２のＬＥＤヘッド６０ｂとのつなぎ目が調整され、さらに第２のＬＥＤヘッド６０ｂと第３のＬＥＤヘッド６０ｃとのつなぎ目が調整される。
【００１６】
この調整を行うことにより、ＬＥＤヘッドを複数配列して、幅広露光を行った際にＬＥＤヘッド間のつなぎ目にずれのない潜像を形成することが可能となる。
【先行技術文献】
【特許文献】
【００１７】
【特許文献１】特開２００３−２１１７２６号公報
【発明の概要】
【発明が解決しようとする課題】
【００１８】
しかしながら、幅広露光を行うＬＥＤヘッドは従来のＡ３サイズ等と比較して、露光領域が広いため、使用環境温度の変化によりＬＥＤヘッドが膨張収縮する量が大きくなり、主走査方向の移動量が大きいため、副走査方向へのずれも大きくなり、副走査方向の画像データ処理を行ったずれ量を超えることがあり、画像ずれが発生する問題がある。
【課題を解決するための手段】
【００１９】
本発明は、上記の課題を解決するために、複数の発光素子を有する基板を千鳥状に配列するときに、各基板の位置調整を行う位置決め機構を利用して、主走査方向に基板が膨張収縮したときに、副走査方向へのずれが発生しないように規制を設ける構成を持つものである。
【００２０】
第１の本発明に係る露光装置は、複数の発光素子を有する複数の基板と、各発光素子から放出される光を集束する集束光学部材と、各基板及び前記集束光学部材を支持する支持部材とを備える露光装置において、（Ａ）千鳥状の連結配列した複数の基板のうち、第１の基板が、（Ａ−１）長手方向への移動を規制する長手方向移動規制部と、（Ａ−２）長手方向への移動を許容する第１の長手方向移動許容部とを有し、（Ｂ）第１の基板の端部と隣接する第２の基板が、（Ｂ−１）同一平面上において長手方向に対する垂直方向の移動を規制するものであって、第１の基板の端部の移動に追従して、長手方向への移動を許容する第２の長手方向移動許容部を有することを特徴とする。
【００２１】
第２の本発明に係る画像形成装置は、第１の本発明に係る１又は複数の露光装置と、各露光装置により露光された潜像に現像剤を移動させて現像する現像装置とを有することを特徴とする。
【発明の効果】
【００２２】
本発明は、上記特徴を有するため、使用温度環境の変化により、ＬＥＤヘッドに膨張収縮が起きた場合に主走査方向への移動が起きるが、副走査方向の位置決め機構により副走査方向へＬＥＤヘッド又は基板が移動することがなく、画像ずれの発生を抑える効果が得られる。
【図面の簡単な説明】
【００２３】
【図１】図２のＡ−Ａ線矢視断面図である。
【図２】第１の実施形態に係るＬＥＤヘッドの長手方向に亘る断面構成を示す断面構成図である。
【図３】第１の実施形態に係るＬＥＤヘッド基板の配置構成を示す概略図である。
【図４】第１の実施形態に係る第１のＬＥＤヘッド基板３５ａ及び第３のＬＥＤヘッド基板３５ｃの位置調整機構を示す概略図である。
【図５】第１の実施形態に係る第２のＬＥＤヘッド基板３５ｂの位置調整機構を示す概略図である。
【図６】第１の実施形態に係るＬＥＤヘッド基板３５ａ〜３５ｃの位置調整後の配置を説明する概略図である。
【図７】第１の実施形態に係るＬＥＤヘッド基板の連結固定後の第１のＬＥＤヘッド基板３５ａと第３のＬＥＤヘッド基板３５ｃの調整機構を説明する説明図である。
【図８】第２の実施形態に係るＬＥＤヘッド基板３５ａ〜３５ｃの配置構成を示す概略図である。
【図９】第２の実施形態に係る複数のＬＥＤヘッド基板の連結固定部分を主走査方向から見たときの断面構造図である。
【図１０】第３の実施形態に係る画像形成装置の構成を示す構成図である。
【図１１】従来の３本のＡ３サイズ用ＬＥＤヘッドの取り付け概略図である。
【図１２】従来の第１のＬＥＤヘッド６０ａと第３のＬＥＤヘッド６０ｃの調整機構を示す図である。
【図１３】従来のＬＥＤヘッド６０ｂの調整機構を示す構成図である。
【発明を実施するための形態】
【００２４】
（Ａ）第１の実施形態
以下において、本発明に係る露光装置及び画像形成装置の第１の実施形態を、図面を参照しながら詳細に説明する。
【００２５】
第１の実施形態では、ＬＥＤヘッドを用いた露光装置に本発明を適用する場合を例示する。
【００２６】
（Ａ−１）第１の実施形態の構成
図２は、第１の実施形態に係るＬＥＤヘッドの長手方向に亘る断面構成を示す断面構成図である。図１は、図２のＡ−Ａ線矢視断面図である。
【００２７】
図１及び図２において、ＬＥＤヘッド１０は、支持部材としてのベース４（基板支持部材）及びレンズ支持ホルダ５（レンジ支持部材）、複数のＬＥＤヘッド基板１、発光部としてのＬＥＤアレイチップ２、光集束光学部材としてのロッドレンズアレイ３、設置調整部材６を有する。
【００２８】
ＬＥＤヘッド１０は、感光体ドラム１３と対向させて配設されたものである。ＬＥＤヘッド１０は、例えば、ガラスエポキシ等で形成されたＬＥＤヘッド基板１と、そのＬＥＤヘッド基板１に搭載された発光素子としての複数のＬＥＤ素子を有するＬＥＤアレイチップ２を有する。このＬＥＤアレイチップ２は、ＬＥＤヘッド基板１の下面（一方の面）に搭載されている。また、ベース４の下面には、複数のＬＥＤヘッド基板１が並べて配置されている。
【００２９】
複数のＬＥＤヘッド基板１のそれぞれに設けられている各ＬＥＤアレイチップ２の下には、各ＬＥＤアレイチップ２から放射される光を集束する集束レンズとしてのロッドレンズアレイ３が、レンズ支持ホルダ５に支持されている。ここで、基板１の下面上のＬＥＤアレイチップ２の表面と、ロッドレンズアレイ３における光の入射される端面（入射面）との間の距離である入射距離長Ｌｏを一定値となるように、ロッドレンズアレイ３はレンズ支持ホルダ５に固定される。
【００３０】
また、レンズ支持ホルダ５とベース４とによりＬＥＤヘッド基板１が固定される。このとき、入射距離Ｌｏがロッドレンズアレイ２の特性上最適なＬｏ値になるような位置で、ロッドレンズアレイ３はレンズ支持ホルダ５とベース４に固着される。
【００３１】
図２に示すように、ベース４の両端部のそれぞれには、設置調整部材６により感光体ドラム１３の表面に一定距離で設置されており、ロッドレンズアレイ２において光が出射される端面（出射面）と、光を結像させる感光体ドラム１３の表面との出射距離ＬｉがＬｉ＝Ｌｏとなる位置で調整されている。
【００３２】
図３は、第１の実施形態に係るＬＥＤヘッド１０の３個の基板１の配置構成を示す概略図である。
【００３３】
図３において、ＬＥＤヘッド１０は、第１のＬＥＤヘッド基板３５ａ、第２のＬＥＤヘッド基板３５ｂ、第３のＬＥＤヘッド基板３５ｃを有し、それぞれのＬＥＤヘッド基板を千鳥状に配置したものである。図３のように、３個のＬＥＤ基板３５ａ〜３５ｃを連結することにより、幅広の露光を実現できる。
【００３４】
図３に示すように、３個のＬＥＤヘッド基板を配置させるＬＥＤヘッド１０は、第１のＬＥＤヘッド基板３５ａと、その第１のＬＥＤヘッド基板３５ａと主走査方向に同一のＬＥＤライン（ＬＥＤアレイチップ２の発光ラインをいう。）を形成する第３のＬＥＤヘッド基板３５ｃが配置されている。
【００３５】
また、ＬＥＤヘッド１０は、第１のＬＥＤヘッド基板３５ａの発光部（例えば、ＬＥＤアレイチップ２に相当する。以下同様とする。）に隣接する段差（副走査方向のＬＥＤラインの位置の差をいう。）を持った第２のＬＥＤヘッド基板３５ｂが配置される。
【００３６】
第２のＬＥＤヘッド基板３５ｂは、第１のＬＥＤヘッド基板３５ａ及び第３のＬＥＤヘッド基板３５ｃの発光ラインと主走査方向は平行に並べられている。第２のＬＥＤヘッド基板３５ｂは、第１のＬＥＤヘッド基板３５ａの発光部の端部と隣接する第２のＬＥＤヘッド基板３５ｂの発光部の端部において段差を持つ構造であり、画像データ処理で直線上に潜像を形成することが可能である。
【００３７】
同様に、第２のＬＥＤヘッド基板３５ｂの発光部の端部と隣接する第３のＬＥＤヘッド基板３５ｃの発光部の端部も、第１のＬＥＤヘッド基板３５ａと第２のＬＥＤヘッド基板３５ｂとの間の段差と同じ位置の段差を持つ構造である。
【００３８】
第１のＬＥＤヘッド基板３５ａと第２のＬＥＤヘッド基板３５ｂの段差と、第３のＬＥＤヘッド基板３５ｃと第２のＬＥＤヘッド基板３５ｂの段差とが同一であるため、画像データ処理により一直線上に感光ドラムへ潜像を形成することが可能となる。
【００３９】
図４は、第１の実施形態に係る第１のＬＥＤヘッド基板３５ａ及び第３のＬＥＤヘッド基板３５ｃの位置調整機構を示す概略図である。
【００４０】
図４では、第１のＬＥＤヘッド基板３５ａと第３のＬＥＤヘッド基板３５ｃとの発光ライン、及び、第２のＬＥＤヘッド基板３５ｂとの発光部のつなぎ目を調整するための機構を示す。
【００４１】
図４に示すように、第１のＬＥＤヘッド基板３５ａ及び第３のＬＥＤヘッド基板３５ｃはそれぞれ、中央部に、主走査方向の位置を調整する機構として、ピンガイド部３８及び偏心ピン３６とを有する。偏心ピン３６は、ＬＥＤヘッド基板を取り付けるフレームに設けられているピンガイド部３８に嵌められる。この偏心ピン３６及びピンガイド部３８は、偏心カム機構を形成しており、第１及び第３のＬＥＤヘッド基板３５ａ及び３５ｃの位置調整を行う。
【００４２】
また、第１のＬＥＤヘッド基板３５ａ及び第３のＬＥＤヘッド基板３５ｃはそれぞれ、副走査方向の位置を調整する機構として、ピンガイド部４１及び偏心ピン３９と、ピンガイド部４４及び偏心ピン４２とを有する。
【００４３】
なお、特許請求の範囲に記載の「第２の長手方向移動許容部」は、ピンガイド部４１及び偏心ピン３９と、ピンガイド部４４及び偏心ピン４２を含むものである。
【００４４】
これらピンガイド部４１及び偏心ピン３９と、ピンガイド部４４及び偏心ピン４２も、ピンガイド部３８及び偏心ピン３６と同様に、偏心ピン４２、３９が、ピンガイド部４１、４４に嵌められて、基板の位置調整を行う偏心カム機構を構成している。
【００４５】
また、ピンガイド部４１及び偏心ピン３９は基板の左側（左端部）に設けられており、ピンガイド部４４及び偏心ピン４２は基板の右側（右端部）に設けられている。
【００４６】
ここで、副走査方向への位置調整を行うための偏心ピン３９を基板の左側、偏心ピン４２が基板の右側に構成され、偏心ピン３９、４２を、軸（４０、４３）を中心に回転させることにより、基板が副走査方向へ移動する。
【００４７】
第１のＬＥＤヘッド基板３５ａの発光部の端部と第２のＬＥＤヘッド基板３５ｂの発光部の端部の主走査方向のつなぎ目と、第３のＬＥＤヘッド基板３５ｃの発光部の端部と第２のＬＥＤヘッド基板３５ｂの発光部の端部との主走査方向のつなぎ目は、偏心ピン３６の軸３７を中心として回転させることにより、副走査方向の移動を規制し、主走査方向の位置調整を行う機能を有する。このような調整により、３本のＬＥＤラインのつなぎ目が主走査方向に一定間隔に配置される。
【００４８】
このとき、主走査方向を調整するピンガイド部３７の主走査方向の幅は、偏心ピン３６と同じ幅であるが、偏心ピン３６の副走査方向の移動を可能とするため、ピンガイド部３７は、主走査方向の幅長が偏心ピン３６の幅長よりも長い、縦長の長穴形状を持つ。これにより、図３に示す「第１の調整」のように、副走査方向への移動を規制すると共に、主走査方向の位置調整が可能となる。
【００４９】
さらに、副走査方向を調整するためのピンガイド部４１及び４４のそれぞれは、偏心ピン３９及び４２によるＬＥＤヘッド基板の調整を可能とするために、副走査方向の幅長は偏心ピン３９及び４２と同じ幅である。一方、主走査方向へ移動可能にするため、ピンガイド部４１及び４４は、主走査方向の幅長が偏心ピン３９及び４２の幅長よりも長い、横長の長穴形状を持つ。これにより、図３に示す「第２の調整」のように副走査方向の位置調整が可能となる。
【００５０】
図５は、第１の実施形態に係る第２のＬＥＤヘッド基板３５ｂの位置調整機構を示す概略図である。
【００５１】
図５において、第２のＬＥＤヘッド基板３５ｂの位置調整機構は、図３の「第３の調整」を行うものであり、副走査方向の調整を行うための機構となる。
【００５２】
第２のＬＥＤヘッド基板３５ｂは、中央部に、縦長（主走査方向に長い）の長穴で構成される基準ピンガイド部４６及び基準ピン４５を有する。
【００５３】
なお、特許請求の範囲における「長手方向移動規制部」は、基準ピンガイド部４６及び基準ピン４５を含むものである。
【００５４】
第２のＬＥＤヘッド基板３５ｂの中央部に、基準ピン４５により基板の位置を固定している。つまり、主走査方向への移動を規制し、副走査方向の移動のみができるように基板を固定するため、縦長の長穴で形成された基準ピン固定部４６を第２のＬＥＤヘッド基板３５ｂに設ける。本構造においては、第２のＬＥＤヘッド基板３５ｂに主走査方向を固定する基準ピン４５を設けるため、３本のＬＥＤヘッド基板を並べた状態の主走査方向の基準位置は、第２のＬＥＤヘッド基板３５ｂの基準ピン４５となる。
【００５５】
第２のＬＥＤヘッド基板３５ｂは、副走査方向の調整機能として、ピンガイド部４８及び偏心ピン４７と、ピンガイド部５２及び偏心ピン５０とを有する。
【００５６】
なお、特許請求の範囲における「長手方向移動許容部」は、ピンガイド部４８及び偏心ピン４７と、ピンガイド部５２及び偏心ピン５０とを含むものである。
【００５７】
ピンガイド部４８及び偏心ピン４７は、第２のＬＥＤヘッド基板３５ｂの左側（左端部）に設け、ピンガイド部５２及び偏心ピン５０は、右側（右端部）に設ける。ピンガイド部４８及び偏心ピン４７と、ピンガイド部５２及び偏心ピン５０はそれぞれ、偏心カムを構成する。
【００５８】
ここで、ピンガイド部４８、５２の副走査方向の幅長は、偏心ピン４７、５０の幅長と同じであり、主走査方向の幅長は、偏心ピン４７、５０の幅長よりも長い横長の長穴とする。これにより、２個の偏心ピン４７、５０を、軸４８、５１で回転させることにより副走査方向へ調整する機構を持つ。
【００５９】
この副走査方向への位置調整機構により、第１のＬＥＤヘッド基板３５ａの発光部の端部と隣接する第２のＬＥＤヘッド基板３５ｂの発光部の端部の段差を調整することになる。また、第３のＬＥＤヘッド基板３５ｃの発光部の端部と隣接する第２のＬＥＤヘッド基板３５ｂの発光部の端部との段差も同様に調整が可能となる。
【００６０】
つまり、第２のＬＥＤヘッド基板３５ｂの中央部において、基準ピンガイド部４６に基準ピン４５が嵌められることにより、主走査方向への移動は規制される。基準ピン４５を基準位置として、第２のＬＥＤヘッド基板３５ｂは固定される。また、第２のＬＥＤヘッド基板３５ｂの両端部のピンガイド部４８及び偏心ピン４７と、ピンガイド部５２及び偏心ピン５０は、主走査方向への起動が可能である。そのため、第２のＬＥＤヘッド基板３５ｂの両端部のピンガイド部４８及び偏心ピン４７と、ピンガイド部５２及び偏心ピン５０とが副走査方向の位置調整を行うことで、第２のＬＥＤヘッド基板３５ｂの端部にあたっている第１、第３のＬＥＤヘッド基板３５ａ、３５ｃの端部が、第２のＬＥＤヘッド基板３５ｂの端部の移動に追従して、主走査方向への移動を可能となる。
【００６１】
このようにして、第１、第２のＬＥＤヘッド基板３５ａ、３５ｃの発光部の段差と、第２、第３のＬＥＤヘッド基板３５ｂ、３５ｃの発光部の段差とが同一になるように調整する。
【００６２】
図６は、第１の実施形態に係るＬＥＤヘッド基板３５ａ〜３５ｃの位置調整後の配置を説明する概略図である。
【００６３】
図６において、第１のＬＥＤヘッド基板３５ａと第３のＬＥＤヘッド基板３５ｃは、図４のように、ピンガイド部３８及び偏心ピン３７が偏心カムを形成しているため、第２のＬＥＤヘッド基板３５ｂの両端部の発光部の主走査方向のつなぎ目の発光部間隔が一定になるように調整する。
【００６４】
また、図４のように、第１のＬＥＤヘッド基板３５ａと第３のＬＥＤヘッド基板３５ｃはそれぞれ、ピンガイド部４１及び偏心ピン３９と、ピンガイド部４４及び偏心ピン４２とが偏心カムを形成しているため、副走査方向の位置が調整され、つなぎ部分の副走査方向の段差と、第１のＬＥＤヘッド基板３５ａと第３のＬＥＤヘッド基板３５ｃの直線性を調整される。
【００６５】
さらに、第２のＬＥＤヘッド基板３５ｂは、図５のように、ピンガイド部４８及び偏心ピン４７と、ピンガイド部５２及び偏心ピン５０はそれぞれ、偏心カムを構成しているため、主走査方向の平行とつなぎ部分の段差が調整される。
【００６６】
図６に示すように、位置調整が完了したＬＥＤヘッド基板３５ａ〜３５ｃは、第１のＬＥＤヘッド基板３５ａと第２のＬＥＤヘッド基板３５ｂとのつなぎ目部分を基板固定部材５３で固定する。また、第２のＬＥＤヘッド基板３５ｂと第３のＬＥＤヘッド基板３５ｃとのつなぎ目部分を基板固定部材５４で固定される。この接続により第１のＬＥＤヘッド基板３５ａと第２のＬＥＤヘッド基板３５ｂと第３のＬＥＤヘッド基板３５ｃは連結して固定されることとなる。
【００６７】
図７は、第１の実施形態に係るＬＥＤヘッド基板の連結固定後の第１のＬＥＤヘッド基板３５ａと第３のＬＥＤヘッド基板３５ｃの調整機構を説明する説明図である。
【００６８】
図７に示すように、主走査方向の調整を行っていたピンガイド部３８は偏心ピン３６をはずした状態となる。この偏心ピン３８を外すことにより、使用環境変化によるＬＥＤヘッド基板の膨張収縮は偏心ピン３９及び４３により主走査方向への基板移動は可能であるが、副走査方向への基板移動は規制された機構となる。
【００６９】
つまり、３個の連結固定されたＬＥＤヘッド基板は、使用環境変更によるＬＥＤヘッド基板の膨張収縮により、第２のＬＥＤヘッド基板３５ｂの位置調整機構の図５の基準ピン４５を基準として、主走査方向へ膨張収縮を行うこととなる。このとき、偏心ピン（４７，５１）が副走査方向を規制する機構となる。
【００７０】
さらに、連結接続された第１のＬＥＤヘッド基板３５ａと第３のＬＥＤヘッド基板３５ｃへ膨張収縮が伝わり、図７の調整機構の偏心ピン（３９，４２）の副走査方向の規制を持った機構により、主走査方向の膨張収縮のみとなる。
【００７１】
（Ａ−２）第１の実施形態の動作
次に、第１の実施形態のＬＥＤヘッド基板３５ａ、３４５ｂ、３５ｃの連結動作を、図５、図６、図７を用いて説明する。
【００７２】
図６のとおり第１のＬＥＤヘッド基板３５ａと第２のＬＥＤヘッド基板３５ｂと第３のＬＥＤヘッド基板３５ｃが発光部のつなぎ目で連結して接続されているため、３本の連結固定されたＬＥＤヘッド基板は、使用環境変更によるＬＥＤヘッド基板の膨張収縮により、第２のＬＥＤヘッド基板３５ｂの位置調整機構の図５の基準ピン４５を基準として、主走査方向へ膨張収縮を行うこととなる。
【００７３】
このとき、偏心ピン４７、５１が副走査方向を規制するガイドとなるため、主走査方向のみの膨張収縮となる。
【００７４】
さらに連結接続された第１のＬＥＤヘッド基板３５ａと第３のＬＥＤヘッド基板３５ｃへ膨張収縮が伝わり、図７の調整機構の偏心ピン３９，４２の副走査方向の規制を持ったガイドとなり、主走査方向の膨張収縮のみとなる。
【００７５】
（Ａ−３）第１の実施形態の結果
以上のように、第１の実施形態によれば、使用環境の変化によるＬＥＤヘッド基板の膨張収縮が起きた場合、図５の偏心ピン（４７、５０）と図７の偏心ピン（３９、４２）により、副走査方向への基板移動が規制されていることによりＬＥＤヘッド基板が副走査方向へ動くことが無いため、画像ずれの発生を抑える効果が得られる。
【００７６】
（Ｂ）第２の実施形態
次に、本発明に係る露光装置及び画像形成装置の第２の実施形態を、図面を参照しながら詳細に説明する。
【００７７】
（Ｂ−１）第２の実施形態の構成
第２の実施形態において、ＬＥＤヘッド１０は、第１の実施形態の図１及び図２に示す構成を備える。
【００７８】
また、第２の実施形態でも、３個のＬＥＤヘッド基板３５ａ〜３５ｃの位置を調整して、３個のＬＥＤ基板３５ａ〜３５ｃを連結固定する場合を例示する。
【００７９】
図８は、第２の実施形態に係るＬＥＤヘッド基板３５ａ〜２５ｃの配置構成を示す概略図である。
【００８０】
第１のＬＥＤヘッド基板３５ａと第３のＬＥＤヘッド基板３５ｃはＬＥＤラインが主走査方向に一直線になるように位置調整が行われる。これは、ベース５５に、第１のＬＥＤヘッド基板３５ａ及び第３のＬＥＤヘッド基板３５ｃを配置したときに調整される。
【００８１】
また、第２のＬＥＤヘッド基板３５ｂにおいてもＬＥＤラインは第１のＬＥＤ基板３５ａと第３のＬＥＤヘッド基板３５ｃの主走査方向に一定の段差を持って平行に配置される。このとき、ベース５５に固定された基準ピン５７と、第２のＬＥＤヘッド基板３５ｂの基準穴でベース５５に位置決めされる構造をとる。
【００８２】
また、第１のＬＥＤヘッド基板３５ａのＬＥＤラインの端部と隣接する第２のＬＥＤヘッド基板３５ｂのＬＥＤラインの端部とは、主走査方向に等間隔に配置されており、副走査方向に一定の段差を持って配置される。
【００８３】
第２のＬＥＤヘッド基板３５ｂのＬＥＤラインの端部と隣接する第３のＬＥＤヘッド基板３５ｃのＬＥＤラインの端部も、同様に主走査方向に等間隔に調整されると共に、副走査方向に、第１のＬＥＤ基板３５ａのＬＥＤラインと第２のＬＥＤ基板３５ｂのＬＥＤラインとの段差と同一間隔となるように調整されてベース５５に配置される。
【００８４】
この状態で第１のＬＥＤヘッド基板３５ａと第２のＬＥＤヘッド基板３５ｂはＬＥＤ接続部付近のつなぎ目部分に基板固定部材５３で２個の基板を固定し、第２のＬＥＤヘッド基板３５ｂと第３のＬＥＤヘッド基板３５ｃは、同様につなぎ目部分に基板固定部材５４で２個の基板が固定される。
【００８５】
この接続により第１のＬＥＤヘッド基板３５ａと第２のＬＥＤヘッド基板３５ｂと第３のＬＥＤヘッド基板３５ｃは連結して固定されることとなる。
【００８６】
ＬＥＤヘッド基板が連結して固定された状態で、それぞれの基板の主走査方向に平行な基板端面を基板の両端近く５６の部分で固定する。
【００８７】
図９は、第２の実施形態に係る複数のＬＥＤヘッド基板の連結固定部分を主走査方向から見たときの断面構造図である。
【００８８】
なお、図９では、第１のＬＥＤヘッド基板３５ａの連結固定部分を例示しているが、第２のＬＥＤヘッド基板３５ｂと第３のＬＥＤヘッド基板３５ｃも同様の連結固定部分の構造により固定されている。
【００８９】
次に、図８及び図９を用いて、各ＬＥＤヘッド基板３５ａ、３５ｂ、３５ｃの位置を固定する留め部５８を説明する。
【００９０】
ベース５５には、各ＬＥＤヘッド基板３５ａ、３５ｂ、３５ｃの位置を決める留め部５８が設けられている。留め部５６は、図８に示すように、各ＬＥＤヘッド基板３５ａ、３５ｂ、３５ｃの上部に２個、下部に２個の４か所に設けられている。なお、留め部５８の数は、４個に限定されるものではない。
【００９１】
また、留め部５８は、ＬＥＤヘッド基板３５ａ、３５ｂ、３５ｃの副走査方向の位置調整を可能とするため、ＬＥＤヘッド基板３５ａ、３５ｂ、３５ｃの副走査方向の幅長よりも少し離れた位置であって、ＬＥＤヘッド基板３５の外縁に設けられている。
【００９２】
さらに、留め部５８は、例えば、図９に示すように、鍵型形状とすることができる。なお、図９では、留め部５８が、かぎ型形状である場合を例示するが、留め部５８の形状はこれに限定されるものではなく、留め部５８が、基板とベース５５との間を接着力のないＵＶ硬化樹脂５６を充填保持できる形状であれば、広く適用できる。例えば、留め部５８が、ＬＥＤヘッド基板の端面に対して開口部分を有する「コの字形状」としてもよい。
【００９３】
図９に示すように、ベース５５にＬＥＤラインの位置調整が完了した第１のＬＥＤヘッド基板３５ａが配置され、第１のＬＥＤヘッド基板３５ａの主走査方向と平行となる端面に対して、第１のＬＥＤヘッド基板３５ａの両端部を留め部５８で挟む構造となっており、ＵＶ硬化樹脂５６で第１のＬＥＤヘッド基板３５ａを固定する。
【００９４】
このとき、ＵＶ硬化樹脂５６は接着力が無いため、第１のＬＥＤヘッド基板５６をベース５５に固定できない。従って、かぎ型形状の留め部５８と、基板との間に、ＵＶ硬化樹脂５６を注入（充填）して、ＵＶ硬化樹脂５６を硬化させることで、ベース５５上において基板を固定する。このようにして、第１のＬＥＤヘッド基板３５ａの副走査方向の位置を固定する。
【００９５】
（Ｂ−２）第２の実施形態の動作
次に、第２の実施形態に係るＬＥＤヘッド基板３５ａ、３４５ｂ、３５ｃの連結固定動作を、図８、図９を用いて説明する。
【００９６】
図９のとおり第１のＬＥＤヘッド基板３５ａと第２のＬＥＤヘッド基板３５ｂと第３のＬＥＤヘッド基板３５ｃが発光部のつなぎ目で連結して接続されている。
【００９７】
３個の連結固定されたＬＥＤヘッド基板は、使用環境変更によるＬＥＤヘッド基板の膨張収縮により、第２のＬＥＤヘッド基板３５ｂの図８の基準ピン５７を基準として、主走査方向へ膨張収縮を行うこととなり、図９のようにＬＥＤヘッド基板を固定するＵＶ硬化樹脂５６が基板の両側面を固定しているため、副走査方向を規制する機構となる。
【００９８】
さらに、連結接続された第１のＬＥＤヘッド基板３５ａと第３のＬＥＤヘッド基板３５ｃへ膨張収縮が伝わり、第１、第２、第３のＬＥＤヘッド基板３５ａ、３５ｂ、３５ｃ両端側面を挟むように固定されている留め部５８により副走査方向の移動を規制し、留め部５８と各基板との間にＵＶ硬化樹脂５６を充填する。このような副走査方向の規制を持った機構により、主走査方向の膨張収縮のみとなる。
【００９９】
（Ｂ−３）第２の実施形態の効果
以上のように、第２の実施形態によれば、使用環境の変化によるＬＥＤヘッド基板の膨張収縮が起きた場合、図８と図９のＵＶ硬化樹脂５６により、副走査方向への基板移動が規制されていることにより副走査方法の画像データのずれの発生を抑える効果が得られる。
【０１００】
（Ｃ）第３の実施形態
次に、本発明に係る露光装置及び画像形成装置の第３の実施形態を説明する。
【０１０１】
（Ｃ−１）第３の実施形態の構成
第３の実施形態は、第１、第２の実施形態で説明した露光装置を有する画像形成装置を、図面を参照しながら説明する。
【０１０２】
図１０は、第３の実施形態に係る画像形成装置の構成を示す構成図である。
【０１０３】
図１０において、画像形成装置１１は、例えば、電子写真カラープリンタであり、４つの独立した画像形成部を構成する画像形成ユニット１２Ｂｋ、１２Ｙ、１２Ｍ、１２Ｃが記録媒体としての用紙の挿入側から排出側に沿って配設されている。
【０１０４】
各画像形成ユニット１２Ｂｋ、１２Ｙ、１２Ｍ、１２Ｃは、ブラック、イエロ一、マゼンダ、及びシアンの各色の画像を形成する。なお、記録媒体として、用紙の他に、ＯＨＰ用紙、封筒、複写紙、特殊紙等を使用することができる。
【０１０５】
各画像形成ユニット１２Ｂｋ、１２Ｙ、１２Ｍ、１２Ｃには、像担持体（例えば、感光体ドラム）１３Ｂｋ、１３Ｙ、１３Ｍ、１３Ｃと、この感光体ドラム１３Ｂｋ、１３Ｙ，１３Ｍ、１３Ｃの表面を一様に、且つ、均一に帯電させる帯電器（例えば、帯電ローラ）１４Ｂｋ、１４Ｙ、１４Ｍ、１４Ｃと、その感光体ドラム１３Ｂｋ、１３Ｙ、１３Ｍ、１３Ｃの表面に形成された静電潜像に図示しない現像剤（例えば、トナー）を付着させ、可視像である各色のトナー像を形成する現像器（例えば、現像剤担持体としての現像ローラ）１６Ｂｋ、１６Ｙ、１６Ｍ、１６Ｃと、この現像ローラ１６Ｂｋ、１６Ｙ、１６Ｍ、１６Ｃに圧接させて現像剤供給部材としてのトナー供給ローラ１８Ｂｋ、１８Ｙ、１８Ｍ、１８Ｃとが配設されている。
【０１０６】
トナー供給ローラ１８Ｂｋ、１８Ｙ、１８Ｍ、１８Ｃは、トナーカートリッジ２０Ｂｋ、２０Ｙ、２０Ｍ、２０Ｃから供給されたトナーを現像ローラ１６Ｂｋ、１６Ｙ、１６Ｍ、１６Ｃに供給するローラである。現像ローラ１６Ｂｋ、１６Ｙ、１６Ｍ、１６Ｃには、現像ブレード１９Ｂｋ、１９Ｙ、１９Ｍ、１９Ｃが圧接されている。
【０１０７】
現像ブレード１９Ｂｋ、１９Ｙ、１９Ｍ、１９Ｃは、現像ローラ１６Ｂｋ、１６Ｙ、１６Ｍ、１６Ｃ上において、トナー供給ローラ１８Ｂｋ、１８Ｙ、１８Ｍ、１８Ｃから供給されたトナーを薄層化するものである。
【０１０８】
画像形成ユニット１２Ｂｋ、１２Ｙ、１２Ｍ、１２Ｃにおける、感光体ドラム１３Ｂｋ、１３Ｙ、１３Ｍ、１３Ｃより上方には、露光装置であるＬＥＤヘッド１５Ｂｋ、１５Ｙ、１５Ｍ、１５Ｃが、感光体ドラム１３Ｂｋ、１３Ｙ、１３Ｍ、１３Ｃと対向する位置に配設されている（以下、この露光装置をＬＥＤヘッドと呼ぶ。）
これら露光装置としてのＬＥＤヘッド１５Ｂｋ、１５Ｙ、１５Ｍ、１５Ｃは、第１及び第２の実施形態で説明したＬＥＤヘッドを適用する。
【０１０９】
各ＬＥＤヘッド１５Ｂｋ、１５Ｙ、１５Ｍ、１５Ｃは、各色の画像データに従って、感光体ドラム１３Ｂｋ、１３Ｙ、１３Ｍ、１３Ｃを露光し、静電潜像を形成する装置である。
【０１１０】
画像形成ユニット１２Ｂｋ、１２Ｙ、１２Ｍ、１２Ｃにおける感光体ドラム１３Ｂｋ、１３Ｙ、１３Ｍ、１３Ｃより下方には、転写ユニットが配設されている。
【０１１１】
転写ユニットは、転写装置としての転写ローラ１７Ｂｋ、１７Ｙ、１７Ｍ、１７Ｃと、図１０中の矢印ｅ方向へ走行自在に配設された搬送部材としての搬送ベルト２１を備えている。
【０１１２】
転写ローラ１７Ｂｋ、１７Ｙ、１７Ｍ、１７Ｃは、搬送ベルト２１を介して各感光体ドラム１３Ｂｋ、１３Ｙ、１３Ｍ、１３Ｃと対向して配置され、用紙をトナーと逆の極性に帯電させ、各色のトナー像を用紙に転写するローラである。
【０１１３】
画像形成装置１１の下部には、搬送ベルト２１に用紙を供給するための給紙機構が配設されている。給紙機構は、ホッピングローラ２２、レジストローラ２３、媒体収容部としての用紙収容カセット２４、及びこの用紙収容カセット２４内の用紙の色を測色する用紙色測色部２５等を備えている。
【０１１４】
更に、搬送ベルト２１の排出側には、定着器２８が設けられている。定着器２８は、加熱ローラ及びバックアップローラを有し、用紙上に転写されたトナーを加圧、加熱することによって定着させる装置であり、この排出側に、図示しない排出ローラ、ピンチローラ、及び用紙スタッカ等が設けられている。
【０１１５】
（Ｃ−２）第３の実施形態の動作
画像形成装置の動作について図１０を用いて説明する。
【０１１６】
先ず、用紙収容カセット２４内の用紙は、ホッピングローラ２２によって繰り出され、レジストローラ２３へ送られる。
【０１１７】
続いて、用紙はレジストローラ２３から搬送ベルト２１に送られ、この搬送ベルト２１の走行に伴って、画像形成ユニット１２Ｂｋ、１２Ｙ、１２Ｍ、１２Ｃへと搬送される。
【０１１８】
各画像形成ユニット１２Ｂｋ、１２Ｙ、１２Ｍ、１２Ｃにおいて、感光体ドラム１３Ｂｋ、１３Ｙ、１３Ｍ、１３Ｃの表面は、帯電ローラ１４Ｂｋ、１４Ｙ、１４Ｍ、１４Ｃによって帯電され、ＬＥＤヘッド１５Ｂｋ、１５Ｙ、１５Ｍ、１５Ｃによって露光され、静電潜像が形成される。
【０１１９】
静電潜像には、現像ローラ１６Ｂｋ、１６Ｙ、１６Ｍ、１６Ｃ上で薄層化されたトナーが静電的に付着されて各色のトナー像が形成される。各色のトナー像は、転写ローラ１７Ｂｋ、１７Ｙ、１７Ｍ、１７Ｃによって用紙に転写され、用紙上にカラーのトナー像が形成される。転写後に、感光体ドラム１３Ｂｋ、１３Ｙ、１３Ｍ、１３Ｃ上に残留したトナーは、図示しないクリーニング装置によって除去される。
【０１２０】
カラーのトナー像が形成された用紙は、定着器２８に送られる。この定着器２８において、カラーのトナー像が用紙に定着され、カラー画像が形成される。トナー像が形成された用紙は、図示しない排出ローラ及びピンチローラに挟持され、用紙スタッカへ排出される。このような過程を経て、カラー画像が用紙上に形成される。
【０１２１】
（Ｃ−３）第３の実施形態の効果
以上のように、第３の実施形態によれば、第１及び第２の実施形態で説明したＬＥＤヘッド基板を連結固定した露光装置を適用できる。
【符号の説明】
【０１２２】
１１…画像形成装置、１２…画像形成ユニット、１３…感光体ドラム、１４…帯電ローラ、１５（１０）…ＬＥＤヘッド、１６…現像ローラ、１７…転写ローラ、１８…トナー供給ローラ、１９…現像ローラブレード、２０…トナーカートリッジ、２１…搬送ベルト、２２…ホッピングローラ、２３…レジストローラ、２４…用紙収容カセット、２５…用紙色測色部、２８…定着器、
１…ＬＥＤ基板、２…ＬＥＤアレイチップ、３…ロッドレンズアレイ、４…ベース、５…レンズ支持ホルダ、６…設置調整部材、
３５…ＬＥＤヘッド基板、３５ａ…第１のＬＥＤヘッド基板、３５ｂ…第２のＬＥＤヘッド基板、３５ｃ…第３のＬＥＤヘッド基板、
３６，３９，４２，４７，５０…偏心ピン、３７，４０，４３，４８，５１…偏心ピン軸、３８，４１，４４，４９，５２…ピンガイド部、
４５…基準ピン、４６…基準ピンガイド部、５３，５４…基板固定部材、５５…ベース、５６…ＵＶ硬化樹脂、５７…基準ピン、５８…留め部。
【図１】
2017144706.tif 000003
【図２】
2017144706.tif 000004
【図３】
2017144706.tif 000005
【図４】
2017144706.tif 000006
【図５】
2017144706.tif 000007
【図６】
2017144706.tif 000008
【図７】
2017144706.tif 000009
【図８】
2017144706.tif 000010
【図９】
2017144706.tif 000011
【図１０】
2017144706.tif 000012
【図１１】
2017144706.tif 000013
【図１２】
2017144706.tif 000014
【図１３】
2017144706.tif 000015